(57)【要約】【課題】光源と、該光源を支持する支持部とを備える照明装置において、前記光源が発する熱の放熱を、より確実に行うことが出来る照明装置を提供する。【解決手段】光源モジュール１，１，１，１が発する熱を、光源モジュール１，１，１，１を支持するアーム部２０まで伝導する熱伝導部材２を備え、アーム部２０の外側の一部には凹凸部を形成させる。従って、光源モジュール１，１，１，１が発する熱は、熱伝導部材２を介してアーム部２０に伝導され、前記凹凸部を介して放熱される。【選択図】図５
2009016091.tif 000002
【特許請求の範囲】
【請求項１】
光源を有する灯部と、該灯部を支持する支持部とを備える照明装置において、
前記支持部には、放熱部が形成されていることを特徴とする照明装置。
【請求項２】
前記灯部および／または前記支持部は、前記光源が発する熱を前記放熱部に伝導又は輸送する熱伝導部材を備えていることを特徴とする請求項１に記載の照明装置。
【請求項３】
前記光源はＬＥＤであり、
前記熱伝導部材は、前記光源と接していることを特徴とする請求項２に記載の照明装置。
【請求項４】
前記熱伝導部材には、冷媒が循環する循環路を設けていることを特徴とする請求項２又は請求項３に記載の照明装置。
【請求項５】
前記放熱部は、前記支持部の表面に形成された凹凸部であることを特徴とする請求項１から請求項４の何れか一つに記載の照明装置。
【発明の詳細な説明】
【技術分野】
【０００１】
本発明は、光源を支持する支持部に放熱部を備える照明装置に関する。
【背景技術】
【０００２】
近年、従来の白熱電球や放電灯に加えて、発光ダイオード（以下、ＬＥＤという）を光源とした照明装置が用いられ始めている。
【０００３】
一方、ＬＥＤは小型、省電力、長寿命という特徴を有しており、照明分野においては、このようなＬＥＤの特徴を生かす様々な技術が提案されている。
【０００４】
例えば、特許文献１には、光源としてのＬＥＤと、該ＬＥＤに給電するための蓄電池と、該蓄電池を充電する充電器とを備え、小型、且つ省電力で使い勝手の良い電気スタンドが開示されている。
【特許文献１】特開２００４−１６５１１５号公報
【発明の開示】
【発明が解決しようとする課題】
【０００５】
一方、白熱電球、蛍光ランプ、ＬＥＤの何れを光源として用いた場合であっても、使用の際、前記光源が高い熱を発するので、このような光源の発熱を放熱することが要求される。特に、ＬＥＤを光源として用いた場合には、ＬＥＤ自身からの発熱によってＬＥＤ自体及び、該ＬＥＤを実装した基板の劣化が進むという問題がある。
【０００６】
しかし、特許文献１の電気スタンドの場合は、光源の発熱を放熱するための放熱機構が設けられておらず、上述のような光源の発熱問題に対応することが出来ない。
【０００７】
また、特にスタンドのような人の手に届くような身近な照明装置においては、光源の発熱により高温になった光源の収容部に人が触れる場合があり、照明装置の安全性に問題があった。
【０００８】
本発明は斯かる事情に鑑みてなされたものであり、その目的とするところは、光源からの熱の放熱を、光源を支持する支持部に設けた放熱部でも行うことが出来る照明装置を提供することにある。
【課題を解決するための手段】
【０００９】
本発明に係る照明装置は、光源を有する灯部と、該灯部を支持する支持部とを備える照明装置において、前記支持部には、放熱部が形成されていることを特徴とする。
【００１０】
本発明にあっては、灯部の光源で発する熱を、灯部の支持部に形成された放熱部にて放熱することが可能となる。
【００１１】
本発明に係る照明装置は、前記灯部および／または前記支持部は、前記光源が発する熱を前記放熱部に伝導又は輸送する熱伝導部材を備えていることを特徴とする。
【００１２】
本発明にあっては、照明装置の使用の際、光源が発する熱が、熱伝導部材を介して、光源から支持部まで伝導又は輸送され、支持部の放熱部にて放熱することが可能となる。
【００１３】
本発明に係る照明装置は、光源はＬＥＤであり、熱伝導部材は、光源と接していることを特徴とする。
【００１４】
本発明にあっては、熱伝導部材が光源と接しており、光源のＬＥＤが発する熱を、より効果的に前記支持部に伝導又は輸送することが可能となる。
【００１５】
本発明に係る照明装置は、前記熱伝導部材には、冷媒が循環する循環路を設けていることを特徴とする。
【００１６】
本発明にあっては、前記熱伝導部材に水、ガス、アセトン等の冷媒が循環する循環路を設ける。例えば、アセトンを冷媒とし、前記循環路内を低気圧にし、前記循環路が前記光源及び支持部の間を循環するように構成した場合、前記光源の熱により液状の冷媒が容易に蒸発し、光源の熱を吸熱する。蒸発した冷媒は、循環路に沿って支持部まで移動し、支持部にて凝縮し、放熱を行う。凝縮により液状に戻った冷媒は、再び、前記光源側に移動する。
【００１７】
本発明に係る照明装置は、放熱部は、支持部の表面に形成された凹凸部であることを特徴とする。
【００１８】
本発明にあっては、支持部の表面に凹凸部を形成させて放熱部とすることにより、放熱部において外気と接する面積が広くなり、光源から伝導される熱は、より効果的に外気中に放熱される。
【発明の効果】
【００１９】
本発明によれば、光源からの熱の放熱を、光源を支持する支持部に設けた放熱部でも行うことが出来る。
【発明を実施するための最良の形態】
【００２０】
（実施の形態１）
以下、本発明の実施の形態１を、図面を参照して説明する。説明の便宜上、いわゆるスタンドを、本発明に係る照明装置の例として説明する。図１は、本発明の実施の形態１に係る照明装置の模式的斜視図である。
【００２１】
本発明の実施の形態１に係る照明装置は、光源を備える灯部１０と、灯部１０を支持するアーム部２０（支持部）と、前記光源を駆動するための駆動部を内蔵し、アーム部２０を回動可能に枢支する枢支体３０と、枢支体３０が固定された台部４０と、台部４０に設けられ、前記光源をオン／オフするスイッチ５０とを備えている。
【００２２】
図２は、灯部１０及びアーム部２０の一部の構成を示す分解斜視図、図３は、図１のＩＩＩ−ＩＩＩ線による断面図、図４は、図１のＩＶ−ＩＶ線による断面図、図５は、図４のＶ−Ｖ線による断面図である。アーム部２０は断面が略四角形の管であり、灯部１０はアーム部２０の一端と連通されている。
【００２３】
灯部１０は、複数のＬＥＤが実装された４つの光源モジュール１，１，１，１と、光源モジュール１，１，１，１が発する光を後述する拡散板７向けて反射する反射部材５と、光源モジュール１，１，１，１が発する熱をアーム部２０まで導く熱伝導部材２と、熱伝導部材２、光源モジュール１，１，１，１及び反射部材５を収容する収容部６とを備えている。収容部６は一面が開放されて開口６７が形成されており、開口６７を覆うように蓋部４が設けたれており、前記一面と対向する他面には、入射する光源モジュール１，１，１，１からの光を拡散させ、面全体に亘って均一に出射させる拡散板７が設けられている。
【００２４】
各光源モジュール１，１，１，１は、矩形のセラミック基板の表側の中央部に、例えば３６個の０．１ＷのＬＥＤ（スモールチップ）が密集して実装されている。前記セラミック基板の対向する何れか２つの頂点には、光源モジュール１，１，１，１を蓋部４にネジ止めするための貫通孔１１，１１が設けられている。４つの光源モジュール１，１，１，１は裏側が長方形の熱伝導シート３の一面３２にと接し、熱伝導シート３の長手方向に並設されており、熱伝導シート３は他面が蓋部４の内側面と接するように、蓋部４に固定されている。
【００２５】
熱伝導シート３は、例えばポリフェニレンサルファイド樹脂からなり、各光源モジュール１，１，１，１の貫通孔１１，１１と対応する位置に貫通孔（図示せず）を有している。熱伝導シート３の一面３２の中心部には、長手方向に沿って溝３１が凹設されており、溝３１には四角管形状の熱伝導部材２が、熱伝導シート３の一面３２と面一になるように嵌合されている。従って、光源モジュール１，１，１，１の裏側は、熱伝導シート３と共に熱伝導部材２と接している。熱伝導部材２の一端は、このように、光源モジュール１，１，１，１と接しており、他端は、後述のアーム部２０の熱伝導シート２１と接するように構成されている。
【００２６】
熱伝導部材２はいわゆるヒートパイプであって、密閉されたアルミニウム、銅等のパイプ内に少量のエタノール、水等の液体（作動液）を真空封入し、内壁に毛細管構造（ウィック）を備えたものである。液体の蒸発と凝縮の潜熱を利用して冷却を行い、小さな温度差で大量の熱輸送が可能である。熱伝導部材２の一端は、吸熱を行う蒸発部であり、熱伝導部材２の他端は放熱を行う凝縮部である。実施の形態１に係る照明装置においては、光源モジュール１，１，１，１側の端部が蒸発部であり、アーム部２０の熱伝導シート２１が凝縮部に該当する。
【００２７】
反射部材５はトレー状をなしており、長方形の固定板５１と、固定板５１の両長辺側縁から固定板５１の面方向に対して直交する方向に、屈曲して延びる長方形の長辺側壁５２，５２と、固定板５１の両短辺側縁から固定板５１の面方向に対して直交する方向に立ち上がる長方形の短辺側壁５３，５３とから成り、固定板５１の対向側には開口５７を有している。長辺側壁５２，５２は、短手方向における縁側の半分が、後述する収容部６の補強板６５，６５と接している。固定板５１の中央部には、熱伝導シート３より少し大きい寸法の開口５４が設けられており、固定板５１の両短辺側には、反射部材５を蓋部４にネジ止めするための貫通孔５５，５５，５５，５５が設けられている。反射部材５の内側面には、光源モジュール１，１，１，１が発する光を反射するための反射板５６が形成されている。反射部材５が蓋部４にネジ止めされた場合、光源モジュール１，１，１，１が固定板５１の開口５４を介して反射部材５の内側に挿入されるようになるので、光源モジュール１，１，１，１が発する光は反射板５６により、拡散板７に向けて反射される。
【００２８】
蓋部４は長方形の板状をなしており、熱伝導シート３の長手方向に沿って配されている。蓋部４の各縁側には、蓋部４の両側を貫通する長孔状のスリット４１，４１，４１，…が、蓋部４の長手方向に沿って形成されている。蓋部４の内側面には熱伝導シート３を介して光源モジュール１，１，１，１がネジ止めされており、熱伝導シート３及び光源モジュール１，１，１，１を取り囲むように反射部材５が固定されている。一方、蓋部４は、熱伝導シート３と接する内側面の領域に対応する一部分を除く外側面に凹凸が形成されており、外気と接する面積を広げている。蓋部４は、アルミニウム、銅等の熱伝導性の優れた材料からなり、蓋部４の内側面の縁部が、収容部６の前記開口側の縁と当接する状態に、収容部６に取り付けられている。
【００２９】
収容部６は、蓋部４と対向する一面が開放され、開口６７が形成されており、前記一面と対向する略長方形の他面６８には、反射部材５の開口５７に対応する位置に、開口５７より少し大きい寸法の長方形の開口６６を設けている。また、収容部６は、前記一面より前記他面６８の面積が小さいシュート状をなしている。また、収容部６は、他面６８の両長辺側縁から他面６８の面方向に対して鋭角をなして延びる略長方形状の長辺側壁６１，６１と、他面６８の両短辺側縁から他面６８の面方向に対して鋭角をなして延びる略長方形状の短辺側壁６２，６２とを有し、長辺側壁６１，６１及び短辺側壁６２，６２同士により形成されるエッジは、Ｒ形の面取りが行われ、湾曲面を形成している。両長辺側壁６１，６１には、長辺側壁６１，６１の両側を貫通する４つの長孔状のスリット６３，６３，６３，６３を適宜隔てて夫々設けている。他面６８の両短辺側にも複数の長孔状のスリット６４，６４，６４，…が夫々設けられている。また、収容部６の開口６６の両長辺側縁には、他面６８の面方向に対して直交する方向に、収容部６の内側に向けて補強板６５，６５を突設し、収容部６の撓みを防止している。反射部材５の長辺側壁５２，５２の縁側の一部は、外側が補強板６５，６５の内側と接し、光源モジュール１，１，１，１が発する光の漏れを防止している。収容部６の短辺側壁６２，６２の内、一方には、アーム部２０を収容部６と連通させる貫通孔７０が設けられており、開口６６の両短辺側縁には、拡散板７をネジ止めするための固定爪６９，６９が設けられている。固定爪６９，６９はネジ孔を有している。
【００３０】
拡散板７は収容部６の他面６８の開口６６に倣う長方形をなしており、長手方向の両端部には、収容部６の固定爪６９，６９に固定するための貫通孔（図示せず）を夫々設けている。拡散板７は、開口６６を蓋するように、収容部６の他面６８の固定爪６９，６９にてネジ止めされている。また、拡散板７は、耐衝撃性及び耐熱性に優れた乳白色のポリカーボネート樹脂製であり、内側には拡散板７に入射して外部に出射する光が均一に出射するように光を拡散すべく、微細なレンズが多数形成されたマイクロレンズシートが設けられている。よって、拡散板７に入射する光は、グレアの低減及び光束のバラツキによる不均一性が緩和され、外部へ出射される。
【００３１】
アーム部２０は中空の断面が略四角形の管であり、Ｌ字状に屈曲している。アーム部２０の一端部は、灯部１０に内嵌され、アーム部２０及び灯部１０は連通されている。従って、灯部１０に内装された光源モジュール１，１，１，１と一端が接している熱伝導部材２を、アーム部２０の内側まで延設することが可能である。アーム部２０の他端は枢支体３０に回動可能に枢支されている。
【００３２】
アーム部２０の外側面であって、灯部１０の蓋部４と平行する面には、アーム部２０の形状に沿って凹凸部２２が放熱部として形成され、外気と接する面積を広げている。凹凸部は、アーム部２０の形状に沿った方向に限られず、アーム部２０の形状に沿った方向に垂直な方向に設けられていてもよい。また、凹凸部２２が形成された外側面に対応するアーム部２０の内側面には、例えばポリフェニレンサルファイド樹脂からなる熱伝導シート２１を、アーム部２０の形状に沿って貼設している。熱伝導シート２１の内側面には、適宜長さを有する溝２３が凹設されており、熱伝導部材２の他端が、熱伝導シート２１の前記内側面と面一になるように嵌合されている。従って、熱伝導部材２の一端は、灯部１０の光源モジュール１，１，１，１と接し、他端はアーム部２０の熱伝導シート２１と接するように構成され、光源モジュール１，１，１，１が発する熱をアーム部２０まで伝導することが可能である。
【００３３】
以下、本発明の実施の形態１係る照明装置の使用において、光源モジュール１，１，１，１が発する熱の放熱作用について説明する。
【００３４】
光源モジュール１，１，１，１は、熱伝導シート３と共に熱伝導部材２の一端部（蒸発部）と接しているので、光源モジュール１，１，１，１が発した熱の大部分は、基板を介して熱伝導シート３及び熱伝導部材２の一端部に伝導される。
【００３５】
熱伝導シート３及び熱伝導部材２の一端部に伝導された熱の内、一部は熱伝導シート３を介して蓋部４に伝導される。蓋部４に伝導された熱は、凹凸が形成された蓋部４の外側面を介して外気中に放出される。
【００３６】
一方、熱伝導シート３及び熱伝導部材２の一端部に伝導された熱の他の一部は、熱伝導部材２の一端部に伝導される。伝導された熱により、熱伝導部材２の一端部内の液体の作動液は、吸熱して蒸発する。蒸発により液体から気体に相変化した作動液は、熱伝導部材２の他端部（放熱部）、つまりアーム部２０の熱伝導シート２１に移動し、熱をアーム部２０の熱伝導シート２１まで輸送する。熱伝導シート２１にて、気体の作動液が持つ熱は、熱伝導シート２１を介してアーム部２０の外側面の凹凸部２２に伝導される。伝導された熱は、凹凸部２２の表面を介して外気中に放出される。放熱により、気体の作動液は再び液体に相変化し、液体の作動液は熱伝導部材２内の毛細管構造を通じて再び一端部に戻る。
【００３７】
また、光源モジュール１，１，１，１が発した熱の一部分は灯部１０内、特に反射部材５の内側の空気に伝導される。灯部１０内、特に反射部材５の内側の空気に伝導された熱は、前記空気を媒体として、反射部材５、収容部６等に伝導され、これらの温度を高めることとなる。
【００３８】
一方、灯部１０は、収容部６及び蓋部４にスリット６３，６３，６３，…及びスリット４１，４１，４１，…を夫々設けており、これらスリットは灯部１０の内外を貫通している。従って、スリット６３，６３，６３，…又はスリット４１，４１，４１，…の何れか一方を介して灯部１０内に流入した外気が、他方を介して外側に流出する空気の流れが生じることが可能である。つまり、前記空気の流れに収容部６及び蓋部４の一部が曝されており、収容部６及び蓋部４の前記一部の表面を介した熱の放出が行われる。且つ、上述したような空気の流れにより、灯部１０内に高温の空気が篭り、光源モジュール１，１，１，１が発した熱の放熱を妨害する問題を緩和することが出来る。
【００３９】
（実施の形態２）
図６は、本発明の実施の形態２に係る照明装置の灯部１０の概略的縦断面図、図７は、図６のＶＩＩ−ＶＩＩ線による断面図である。なお、実施の形態１と同一の部分については同一の符号を付してその詳細な説明を省略する。
【００４０】
本発明の実施の形態２に係る照明装置の蓋部４の内側面には、熱伝導シート３を介して光源モジュール１，１，１，１がネジ止めされている。長方形の熱伝導シート３の両長辺側縁には、パイプ状の熱伝導部材２の２つの一端部が設けられており、熱伝導部材２の２つの一端部は途中で一本化されている。つまり、実施の形態２に係る照明装置の熱伝導部材２は、２つの一端部（蒸発部）と、一つの他端部（放熱部）を有している。反射部材５は、熱伝導シート３、光源モジュール１，１，１，１及び熱伝導部材２の２つの一端部を取り囲むように固定されている。
【００４１】
以下、本発明の実施の形態２係る照明装置の使用において、光源モジュール１，１，１，１が発する熱の放熱作用について説明する。
【００４２】
光源モジュール１，１，１，１が発した熱の大部分は、基板を介して熱伝導シート３に伝導される。熱伝導シート３に伝導された熱の内、一部は熱伝導シート３を介して蓋部４に伝導され、凹凸が形成された蓋部４の外側面を介して外気中に放出される。一方、熱伝導シート３に伝導された熱の他の一部は、熱伝導部材２の２つの一端部に伝導されるようになる。熱伝導部材２の一端部に伝導された熱は、実施の形態１と同様に、アーム部２０の熱伝導シート２１まで輸送される。以降の作用は実施の形態１と同様であるため、詳しい説明を省略する。
【００４３】
（実施の形態３）
図８は、本発明の実施の形態３に係る照明装置の灯部１０の概略的縦断面図であり、図９は、図８のＩＸ−ＩＸ線による断面図である。なお、実施の形態１及び実施の形態２と同一の部分については同一の符号を付してその詳細な説明を省略する。
【００４４】
本発明の実施の形態３に係る照明装置の熱伝導部材２は例えばＬＨＰ（Ｌｏｏｐ  Ｈｅａｔ  Ｐｉｐｅ）からなり、内部に空洞２Ｄを有する長方形の蒸発部２Ａと、アーム部２０の熱伝導シート２１と接する凝縮部２Ｃと、蒸発部２Ａ及び凝縮部２Ｃを繋ぐ循環路２Ｂとを備えている。
【００４５】
蒸発部２Ａは扁平な直方体形状をなす筐体であり、アルミニウム、銅等からなる。蒸発部２Ａの内部の空洞２Ｄには、少量のエタノール、水等の液体が冷媒として真空封入されている。循環路２Ｂはアルミニウム、銅等の線状をなしており、前記液体を循環させるために、循環路２Ｂの両端が蒸発部２Ａの空洞２Ｄと連通するように構成されている。つまり、循環路２Ｂは何れか一方の端部から凝縮部２Ｃに向けて延び、凝縮部２Ｃにて折り返され、再び蒸発部２Ａに戻るように構成されている。循環路２Ｂは凝縮部２Ｃにてアーム部２０の熱伝導シート２１との接触面積を増やすために、蛇行状に屈曲されており、熱伝導シート２１の内部に埋設されている。このような、実施の形態３に係る照明装置の熱伝導部材２は、液体の蒸発と凝縮の潜熱を利用して冷却を行い、小さな温度差で大量の熱輸送が可能である。
【００４６】
以下、本発明の実施の形態３係る照明装置の使用において、光源モジュール１，１，１，１が発する熱の放熱作用について説明する。
【００４７】
光源モジュール１，１，１，１が発した熱の大部分は、基板を介して熱伝導部材２の蒸発部２Ａに伝導される。蒸発部２Ａに伝導された熱の内、一部は蒸発部２Ａを介して蓋部４に伝導され、凹凸が形成された蓋部４の外側面を介して外気中に放出される。一方、蒸発部２Ａに伝導された熱の他の一部により、蒸発部２Ａの空洞２Ｄ内の液体の冷媒は、前記熱を吸収して蒸発する。蒸発により液体から気体に相変化した冷媒は、循環路２Ｂの何れか一方の端部から凝縮部２Ｃ、つまりアーム部２０の熱伝導シート２１に移動し、熱を輸送する。熱伝導シート２１（凝縮部２Ｃ）にて、気体の冷媒が持つ熱は、熱伝導シート２１を介してアーム部２０の外側面の凹凸部２２に伝導される。伝導された熱は、凹凸部２２の表面を介して外気中に放出される。放熱によって気体の冷媒は再び液体に相変化し、液体の冷媒は循環路２Ｂの他方の端部を介して蒸発部２Ａの空洞２Ｄ内に戻る。
【００４８】
また、光源モジュール１，１，１，１が発した熱の一部分は灯部１０内、特に反射部材５の内側の空気に伝導される。灯部１０内、特に反射部材５の内側の空気に伝導された熱の放熱作用については、実施の形態１と同様であり、詳しい説明を省略する。
【００４９】
尚、本発明に係る照明装置の熱伝導部材２は、上述の実施の形態１乃至実施の形態３に記載の例に限るものでない。例えば、熱伝導部材２としてヒートレーン（登録商標）を用いても良い。ヒートレーンは矩形の板状をなし、変形自在であり、内部には蛇行状の冷媒の移動路が形成されており、該移動路内に、液体部と気体部が閉塞した状態で交互に存在するものである。気体及び液体が共に移動するので、潜熱及び顕熱の両熱輸送が行われる。ヒートレーンの一端部の蒸発部を光源モジュール１，１，１，１と接するように配設し、他端部の凝縮部をアーム部２０に配設する。光源モジュール１，１，１，１が発する熱は冷媒（液体）により吸熱され、前記液体には断続的に蒸気泡が発生する。従って、前記液体に温度と蒸気圧の上昇をもたらす。一方、凝縮部においては放熱による冷却が行われるので、蒸気泡の温度降下及び圧力の低下が発生する。このような蒸発部及び凝縮部の間の圧力差により、移動路内で閉塞されている気体と液体が同時に凝縮部へ移動し、熱を輸送するようになる。詳しくは、光源モジュール１，１，１，１が発する熱を冷媒（液体）が吸収して蒸気に相変化し、該蒸気の移動を利用して潜熱を輸送する。また、前記相変化の際の核沸騰により液体が振動し、この振動を利用して顕熱を輸送するものである。従って、光源モジュール１，１，１，１が発する熱をアーム部２０間で輸送して放熱することが出来る。
【００５０】
以上、実施の形態１から３の説明において、熱伝導部材２は、１つの熱伝導部材２が屈曲されて灯部１０からアーム部２０（支持部）の内部に到達するように設けられている（図２参照）が、光源のＬＥＤに接するようにＬＥＤ近傍に設けられる第１の熱伝導部材２ａと、アーム部（支持部）内部に設けられる第２の熱伝導部材２ｂとの２つの別体の熱伝導部材に分けて構成されていてもよい（図１０参照）。
【００５１】
第１の熱伝導部材２ａは、光源の熱を光源からアーム部２０（支持部）まで伝導し、第２の熱伝導部２ｂは第１の熱伝導部材２ａが伝導してきた熱をアーム部２０（支持部）内部を通して放熱部へ伝達する。よって、光源の熱を放熱部に伝導することが可能となる。
【００５２】
また、熱伝導部材２が、２つの熱伝導部材から構成され、灯部１０とアーム部２０に別途に設けられることにより、アーム部２０の先端の接続パイプ２５が灯部１０に差し込まれ、灯部１０が接続パイプ２５を中心軸として回動することができる。さらに、灯具１０とアーム部２０の接続工程が容易となる。
【００５３】
さらに、アーム部２０および熱伝導部２として、断面図が略四角形状の管を例示して説明したが断面形状は四角形に限らず、円形や楕円形であってもよい。
【図面の簡単な説明】
【００５４】
【図１】本発明の実施の形態１に係る照明装置の模式的斜視図である。
【図２】本発明の実施の形態１に係る照明装置の灯部及びアーム部の一部の構成を示す分解斜視図である。
【図３】図１のＩＩＩ−ＩＩＩ線による断面図である。
【図４】図１のＩＶ−ＩＶ線による断面図である。
【図５】図４のＶ−Ｖ線による断面図である。
【図６】本発明の実施の形態２に係る照明装置の灯部の概略的縦断面図である。
【図７】図６のＶＩＩ−ＶＩＩ線による断面図である。
【図８】図８は、本発明の実施の形態３に係る照明装置の灯部の概略的縦断面図である。
【図９】図８のＩＸ−ＩＸ線による断面図である。
【図１０】熱伝導部材が２つの熱伝導部材から構成された照明装置の図１のＩＩＩ−ＩＩＩ線の方向に対応した断面図である。
【符号の説明】
【００５５】
１  光源モジュール
２  熱伝導部材
２Ｂ  循環路
１０  灯部
２０  アーム部
２２  凹凸部  
【図１】
2009016091.tif 000003
【図２】
2009016091.tif 000004
【図３】
2009016091.tif 000005
【図４】
2009016091.tif 000006
【図５】
2009016091.tif 000007
【図６】
2009016091.tif 000008
【図７】
2009016091.tif 000009
【図８】
2009016091.tif 000010
【図９】
2009016091.tif 000011
【図１０】
2009016091.tif 000012